(57)【特許請求の範囲】
【請求項１】
無線端末が、ＭＤＴに従った処理であるＭＤＴ処理を行うステップと、
前記無線端末が前記ＭＤＴ処理を行った時刻又は期間に関するＭＤＴ時間情報を、前記無線端末からネットワークに送信するステップと、
前記ネットワークが、前記無線端末からの前記ＭＤＴ時間情報に基づいて、前記無線端末をＭＤＴに使用するか否かを決定するステップと
を備える端末選択方法。
【請求項２】
前記ＭＤＴ時間情報を取得するための所定のメッセージを、前記ネットワークから前記無線端末に送信するステップをさらに備え、
前記ＭＤＴ時間情報を送信するステップでは、前記ネットワークからの前記所定のメッセージに応じて前記ＭＤＴ時間情報を送信する請求項１に記載の端末選択方法。
【請求項３】
前記ＭＤＴ処理を行うステップは、
前記ネットワークから受信した測定構成メッセージによって設定された測定パラメータに従って、無線環境の測定結果を含むＭＤＴデータを記録するステップと、
前記記録するステップで記録されたＭＤＴデータを、前記無線端末から前記ネットワークに送信するステップと
を備える請求項１又は２に記載の端末選択方法。
【請求項４】
前記ＭＤＴ時間情報を送信するステップでは、前記ＭＤＴデータを送信するステップでＭＤＴデータを送信した時刻を示す情報を前記ＭＤＴ時間情報として送信する請求項３に記載の端末選択方法。
【請求項５】
前記決定するステップでは、前記無線端末からの前記ＭＤＴ時間情報によって示される時刻と現時刻との間の時間差が所定時間未満である場合に、前記無線端末をＭＤＴに使用しないと決定する請求項４に記載の端末選択方法。
【請求項６】
前記ＭＤＴ時間情報を送信するステップでは、前記無線端末がＭＤＴデータを保持した期間に関する情報を前記ＭＤＴ時間情報として前記ネットワークに送信する請求項３に記載の端末選択方法。
【請求項７】
前記測定パラメータは、前記無線端末が測定を行うべき測定期間を含み、
前記ＭＤＴ時間情報を送信するステップでは、前記測定期間を示す情報を前記ＭＤＴ時間情報として送信する請求項３に記載の端末選択方法。
【請求項８】
ネットワークに設けられたネットワーク装置であって、
ＭＤＴに従った処理であるＭＤＴ処理を無線端末が行った時刻又は期間に関するＭＤＴ時間情報を取得する取得部と、
前記ＭＤＴ時間情報に基づいて、前記無線端末をＭＤＴに使用するか否かを決定する決定部と
を備えるネットワーク装置。
【発明の詳細な説明】
【技術分野】
【０００１】
本発明は、ＭＤＴに使用する無線端末を選択するための端末選択方法、無線端末、及びネットワーク装置に関する。
【背景技術】
【０００２】
移動通信システムでは、無線基地局の周辺にビルが建設されたり、当該無線基地局の周辺基地局の設置状況が変化したりすると、当該無線基地局に係る無線環境が変化する。このため、従来では、オペレータにより、測定機材を搭載した測定用車両を使用し、無線環境を測定して測定結果及び位置情報を収集するドライブテストが行われている。
【０００３】
このような測定及び収集は、例えば無線基地局のカバレッジの最適化に貢献できるが、工数が多く、且つ費用が高いという課題がある。そこで、移動通信システムの標準化プロジェクトである３ＧＰＰ（3rd Generation Partnership Project）では、ユーザが所持する無線端末を使用して、当該測定及び収集を自動化する技術であるＭＤＴ（Minimization of Drive Test）の仕様策定が進められている（非特許文献１及び２参照）。
【０００４】
ＭＤＴの一種として、記録型のＭＤＴ（以下、適宜Logged MDTと称する）がある。Logged MDTは、アイドル状態の無線端末が、ネットワークから設定された測定パラメータに従って無線環境の測定を行い、測定結果を位置情報及び時間情報と共にＭＤＴデータとして記録し、記録したＭＤＴデータを後でネットワークに報告するものである。
【先行技術文献】
【非特許文献】
【０００５】
【非特許文献１】3GPP TR 36.805 V9.0.0 “Study on Minimization of drive-tests in Next Generation Networks”, 2009-12
【非特許文献２】3GPP TS 37.320 v0.7.0, “Radio measurement collection for Minimization of Drive Tests (MDT)”, 2010-07
【発明の概要】
【発明が解決しようとする課題】
【０００６】
ＭＤＴに使用する無線端末を選択するための端末選択方法としては、ネットワーク装置（例えば保守監視装置又は無線基地局）が、無線端末の能力を示す情報を取得し、当該能力を示す情報に基づいて当該無線端末をＭＤＴに使用するか否かを決定することが想定されている。しかしながら、当該方法では、能力の高い無線端末が繰り返しＭＤＴに使用される可能性があり、ＭＤＴの負荷が当該無線端末に集中してしまうため、公平性が担保されず、ユーザの不満に繋がる問題がある。
【０００７】
そこで、本発明は、ＭＤＴの負荷が特定の無線端末に集中する可能性を低減できる端末選択方法、無線端末、及びネットワーク装置を提供することを目的とする。
【課題を解決するための手段】
【０００８】
上述した課題を解決するために、本発明は以下のような特徴を有している。まず、本発明に係る端末選択方法の特徴は、無線端末（無線端末ＵＥ）が、ＭＤＴに従った処理であるＭＤＴ処理を行うステップと、前記無線端末が前記ＭＤＴ処理を行った時刻又は期間に関するＭＤＴ時間情報を、前記無線端末からネットワーク（保守監視装置ＯＡＭ及び／又は無線基地局ｅＮＢ）に送信するステップと、前記ネットワークが、前記無線端末からの前記ＭＤＴ時間情報に基づいて、前記無線端末をＭＤＴに使用するか否かを決定するステップとを備えることを要旨とする。
【０００９】
このような特徴によれば、無線端末がＭＤＴ処理を行った時刻又は期間に関するＭＤＴ時間情報に基づいて無線端末をＭＤＴに使用するか否かを決定することによって、ＭＤＴに使用された直後の無線端末や、長時間に亘るＭＤＴを行った無線端末については、ＭＤＴに使用しないように決定することができる。従って、ＭＤＴの負荷が特定の無線端末に集中する可能性を低減できる。
【００１０】
本発明に係る端末選択方法の他の特徴は、上記特徴に係る端末選択方法において、前記ＭＤＴ時間情報を取得するための所定のメッセージ（UE MDT_Information Requestメッセージ又はMDT Configuration Negotiationメッセージ）を、前記ネットワークから前記無線端末に送信するステップをさらに備え、前記ＭＤＴ時間情報を送信するステップでは、前記ネットワークからの前記所定のメッセージに応じて前記ＭＤＴ時間情報を送信することを要旨とする。
【００１１】
本発明に係る端末選択方法の他の特徴は、上記特徴に係る端末選択方法において、前記ＭＤＴ処理を行うステップは、前記無線端末が、前記ネットワークから受信した測定構成メッセージ（MDT Configurationメッセージ）によって設定された測定パラメータに従って、無線環境の測定結果を含むＭＤＴデータを記録するステップと、前記記録するステップで記録されたＭＤＴデータを、前記無線端末から前記ネットワークに送信するステップとを備えることを要旨とする。
【００１２】
本発明に係る端末選択方法の他の特徴は、上記特徴に係る端末選択方法において、前記ＭＤＴ時間情報を送信するステップでは、前記ＭＤＴデータを送信するステップでＭＤＴデータを送信した時刻を示す情報を前記ＭＤＴ時間情報として送信することを要旨とする。
【００１３】
本発明に係る端末選択方法の他の特徴は、上記特徴に係る端末選択方法において、前記決定するステップでは、前記無線端末からの前記ＭＤＴ時間情報によって示される時刻と現時刻との間の時間差が所定時間未満である場合に、前記無線端末をＭＤＴに使用しないと決定することを要旨とする。
【００１４】
本発明に係る端末選択方法の他の特徴は、上記特徴に係る端末選択方法において、前記ＭＤＴ時間情報を送信するステップでは、前記無線端末がＭＤＴデータを保持した期間に関する情報を前記ＭＤＴ時間情報として前記ネットワークに送信することを要旨とする。
【００１５】
本発明に係る端末選択方法の他の特徴は、上記特徴に係る端末選択方法において、前記測定パラメータは、前記無線端末が測定を行うべき測定期間を含み、前記ＭＤＴ時間情報を送信するステップでは、前記測定期間を示す情報を前記ＭＤＴ時間情報として送信することを要旨とする。
【００１６】
本発明に係る無線端末の特徴は、ＭＤＴに従った処理であるＭＤＴ処理を行うＭＤＴ処理部（ＭＤＴ処理部２６１）と、ＭＤＴに使用する無線端末をネットワークが決定するために、前記ＭＤＴ処理を行った時刻又は期間に関するＭＤＴ時間情報を前記ネットワークに送信する送信部（無線通信部２１０、ＭＤＴ情報管理部２６２）とを備えることを要旨とする。
【００１７】
本発明に係るネットワーク装置の特徴は、ネットワークに設けられたネットワーク装置（保守監視装置ＯＡＭ又は無線基地局ｅＮＢ）であって、ＭＤＴに従った処理であるＭＤＴ処理を無線端末が行った時刻又は期間に関するＭＤＴ時間情報を取得する取得部（情報取得部３３１又は情報取得部１４１）と、前記ＭＤＴ時間情報に基づいて、前記無線端末をＭＤＴに使用するか否かを決定する決定部（ＭＤＴ使用端末決定部３３２又はＭＤＴ使用端末決定部１４２）とを備えることを要旨とする。
【発明の効果】
【００１８】
本発明によれば、ＭＤＴの負荷が特定の無線端末に集中する可能性を低減できる端末選択方法、無線端末、及びネットワーク装置を提供できる。
【図面の簡単な説明】
【００１９】
【図１】第１実施形態及び第２実施形態に係る移動通信システムの全体概略構成を示す図である。
【図２】第１実施形態に係る無線端末の構成を示すブロック図である。
【図３】第１実施形態に係る保守監視装置の構成を示すブロック図である。
【図４】第１実施形態に係るLogged MDTの具体例を示すシーケンス図である。
【図５】第１実施形態に係る端末選択方法を示すシーケンス図である。
【図６】第１実施形態の変更例１に係る端末選択方法を示すシーケンス図である。
【図７】第１実施形態の変更例２に係る端末選択方法を示すシーケンス図である。
【図８】第２実施形態に係る無線基地局の構成を示すブロック図である。
【図９】第２実施形態に係る端末選択方法を示すシーケンス図である。
【図１０】第２実施形態の変更例１に係る端末選択方法を示すシーケンス図である。
【図１１】第２実施形態の変更例２に係る端末選択方法を示すシーケンス図である。
【図１２】第２実施形態の変更例３に係る端末選択方法を示すシーケンス図である。
【発明を実施するための形態】
【００２０】
図面を参照して、本発明の第１実施形態、第２実施形態、及びその他の実施形態を説明する。以下の各実施形態における図面において、同一又は類似の部分には同一又は類似の符号を付す。
【００２１】
以下においては、３ＧＰＰで仕様が策定されているＬＴＥ（Long Term Evolution）−Ａｄｖａｎｃｅｄに基づいて構成される移動通信システムを主として説明するが、Ｗ−ＣＤＭＡ（Wideband Code Division Multiple Access）に基づいて構成される移動通信システム等についても本発明を適用できることに留意されたい。
【００２２】
（１）第１実施形態
第１実施形態に係る端末選択方法は、無線端末ＵＥが、ＭＤＴに従った処理であるＭＤＴ処理を行うステップと、無線端末ＵＥがＭＤＴ処理を行った時刻又は期間に関するＭＤＴ時間情報を、無線端末ＵＥからネットワークに送信するステップと、保守監視装置ＯＡＭが、無線端末ＵＥからのＭＤＴ時間情報に基づいて、当該無線端末ＵＥをＭＤＴに使用するか否かを決定するステップとを備える。
【００２３】
以下、第１実施形態について、（１．１）移動通信システムの全体概略構成、（１．２）無線端末の構成、（１．３）保守監視装置の構成、（１．４）移動通信システムの動作、（１．５）第１実施形態の効果、（１．６）第１実施形態の変更例１、（１．７）第１実施形態の変更例２の順に説明する。
【００２４】
（１．１）移動通信システムの全体概略構成
図１は、第１実施形態に係る移動通信システム１の全体概略構成を示す図である。
【００２５】
図１に示すように、移動通信システム１は、無線端末ＵＥ（User Equipment）、複数の無線基地局ｅＮＢ（evolved Node-B）、保守監視装置ＯＡＭ（Operation and Maintenance）、複数の移動管理装置ＭＭＥ（Mobility Management Entity）／ゲートウェイ装置Ｓ−ＧＷ（Serving Gateway）を有する。
【００２６】
複数の無線基地局ｅＮＢは、無線アクセスネットワークであるＥ−ＵＴＲＡＮ（Evolved-UMTS Terrestrial Radio Access  Network）を構成する。複数の無線基地局ｅＮＢのそれぞれは、無線端末ＵＥにサービスを提供すべき通信エリアであるセルを形成する。
【００２７】
無線端末ＵＥは、ユーザが所持する無線通信装置であり、ユーザ装置とも称される。無線端末ＵＥの構成については後述する。
【００２８】
隣接する各無線基地局ｅＮＢは、基地局間通信を提供する論理的な通信路であるＸ２インターフェースを介して互いに通信可能である。複数の無線基地局ｅＮＢのそれぞれは、Ｓ１インターフェースを介して、ＥＰＣ（Evolved Packet Core）、具体的には、ＭＭＥ（Mobility Management Entity）／Ｓ−ＧＷ（Serving Gateway）と通信可能である。また、各無線基地局ｅＮＢは、オペレータによって運営される保守監視装置ＯＡＭと通信可能である。保守監視装置ＯＡＭの構成については後述する。なお、Ｅ−ＵＴＲＡＮ（無線基地局ｅＮＢ）及び保守監視装置ＯＡＭを併せて適宜「ネットワーク」と称する。
【００２９】
移動通信システム１は、ＭＤＴ（具体的には、Logged MDT）をサポートする。Logged MDTは、アイドル状態（すなわち待ち受け中）の無線端末が、ネットワークから設定された測定パラメータに従って無線環境の測定を行い、測定結果を位置情報及び時間情報と共にＭＤＴデータとして記録し、記録したＭＤＴデータを後でネットワークに報告するために保持するものである。なお、現状の仕様では、Logged MDTは、アイドル状態の無線端末ＵＥが実行すると規定されている。
【００３０】
（１．２）無線端末の構成
図２は、第１実施形態に係る無線端末ＵＥの構成を示すブロック図である。
【００３１】
図２に示すように、無線端末ＵＥは、アンテナ２０１、無線通信部２１０、ユーザインターフェイス部２２０、ＧＰＳ受信機２３０、バッテリ２４０、記憶部２５０、及び制御部２６０を有する。ただし、無線端末ＵＥは、ＧＰＳ受信機２３０を有していなくてもよい。
【００３２】
アンテナ２０１は、無線信号の送受信に用いられる。無線通信部２１０は、例えば無線周波数（ＲＦ）回路やベースバンド（ＢＢ）回路等を用いて構成され、アンテナ２０１を介して無線信号を送受信する。また、無線通信部２１０は、送信信号の変調と受信信号の復調とを行う。ユーザインターフェイス部２２０は、ユーザとのインターフェイスとして機能するディスプレイやボタン等である。バッテリ２４０は、無線端末ＵＥの各ブロックに供給される電力を蓄える。記憶部２５０は、例えばメモリを用いて構成され、無線端末ＵＥの制御等に用いられる各種の情報を記憶する。制御部２６０は、例えばＣＰＵを用いて構成され、無線端末ＵＥが備える各種の機能を制御する。
【００３３】
制御部２６０は、ＭＤＴ処理部２６１及びＭＤＴ情報管理部２６２を有する。
【００３４】
ＭＤＴ処理部２６１は、ＭＤＴに従った処理であるＭＤＴ処理を行う。具体的には、ＭＤＴ処理部２６１は、Logged MDTにおいて、ＭＤＴの測定パラメータを含むMDT Configurationメッセージを無線通信部２１０が受信した場合に、当該MDT Configurationメッセージに含まれる測定パラメータを自端末に設定し、設定した測定パラメータに従って無線環境の測定を行い、測定結果、位置情報、及び時間情報を含むＭＤＴデータを記録する。ＭＤＴ処理部２６１は、アイドル状態からコネクテッド状態に移行した後、ネットワークからの要求に応じて、保持しているＭＤＴデータを送信するよう制御する。
【００３５】
なお、Logged MDTにおいては、測定パラメータは、測定対象（measurements to be logged）、測定トリガ（triggering of logging event）、測定期間（total duration of logging）、絶対時間（network absolute time stamp）、及び測定エリア（measurements area）を含む。ただし、測定エリア（measurements area）は、測定パラメータに含まれなくてもよい。測定対象は、例えば測定を行うべき周波数帯であり、ＭＤＴ処理部２６１は、測定対象の周波数帯について参照信号受信電力（ＲＳＲＰ）及び参照信号受信品質（ＲＳＲＱ）を測定する。測定トリガは、例えば周期的な下りリンクパイロット信号強度測定トリガであり、この領域で測定間隔を設定可能である。無線端末ＵＥは、設定された測定間隔に対応するタイマが満了する際に測定を行う。位置情報は、サービングセルのＥＣＧＩ（E-UTRAN Cell Global Identifier）を含む。また、無線端末ＵＥが測位機能を有している場合、位置情報は、ＧＮＳＳ（Global Navigation Satellite System）位置情報をさらに含む。一方、無線端末ＵＥが測位機能を有していない場合、位置情報は、隣接セルからの受信状態に関するＲＦ（Radio frequency）フィンガープリントをさらに含む。
【００３６】
ＭＤＴ情報管理部２６２は、自端末がＭＤＴ処理を行った時刻又は期間に関するＭＤＴ時間情報を管理する。具体的には、ＭＤＴ情報管理部２６２は、以下に示す情報１〜情報３のうちの少なくとも１つを管理する。
【００３７】
（情報１）ＭＤＴデータをネットワークに送信した時刻を示す情報。当該情報は、ＭＤＴ処理部２６１が、Logged MDTにおいて保持したＭＤＴデータをネットワークに送信した時刻を示す。なお、当該情報は、ＭＤＴ処理部２６１がＭＤＴデータを複数回ネットワークに送信している場合には、ＭＤＴ処理部２６１がＭＤＴデータを最後にネットワークに送信した時刻を示す。
【００３８】
（情報２）ＭＤＴデータを保持した期間に関する情報。当該情報は、ＭＤＴ処理部２６１が、Logged MDTにおいて、ＭＤＴデータの記録（ロギングとも称される）から、当該ＭＤＴデータをネットワークに送信するまでの期間（すなわち、ＭＤＴデータを保持した期間）を示す。なお、当該情報は、ＭＤＴデータを記録した時刻を示す情報と、当該ＭＤＴデータをネットワークに送信した時刻を示す情報との組み合わせによって構成されてもよい。あるいは、当該情報は、測定パラメータの一つである測定期間が満了した時刻を示す情報と、ＭＤＴデータをネットワークに送信した時刻を示す情報との組み合わせによって構成されてもよい。
【００３９】
（情報３）測定期間を示す情報。当該情報は、ＭＤＴ処理部２６１が、Logged MDTにおける測定パラメータの一つである測定期間を示す。
【００４０】
ＭＤＴ情報管理部２６２は、ＭＤＴ時間情報の送信を要求するUE MDT_Information Requestメッセージを無線通信部２１０が受信すると、管理しているＭＤＴ時間情報と、自端末を識別する端末識別子とを含むUE MDT_Information Reportメッセージを送信するよう制御する。第１実施形態において、ＭＤＴ情報管理部２６２及び無線通信部２１０は、ＭＤＴに使用する無線端末ＵＥをネットワークが決定するために、ＭＤＴ処理を行った時刻又は期間に関するＭＤＴ時間情報をネットワークに送信する送信部を構成する。
【００４１】
（１．３）保守監視装置の構成
図３は、第１実施形態に係る保守監視装置ＯＡＭの構成を示すブロック図である。
【００４２】
図３に示すように、保守監視装置ＯＡＭは、ネットワーク通信部３１０、記憶部３２０、及び制御部３３０を有する。
【００４３】
ネットワーク通信部３１０は、無線基地局ｅＮＢとの通信を行う。記憶部３２０は、例えばメモリを用いて構成され、保守監視装置ＯＡＭの制御等に用いられる各種の情報を記憶する。制御部３３０は、例えばＣＰＵを用いて構成され、保守監視装置ＯＡＭが備える各種の機能を制御する。
【００４４】
制御部３３０は、情報取得部３３１、ＭＤＴ使用端末決定部３３２、及びＭＤＴ制御部３３３を有する。
【００４５】
情報取得部３３１は、ＭＤＴの開始が決定されると、ＭＤＴ時間情報の送信を要求するUE MDT_Information Requestメッセージを無線基地局ｅＮＢに送信するよう制御する。UE MDT_Information Requestメッセージの送信後、ネットワーク通信部３１０がUE MDT_Information Reportメッセージを受信すると、情報取得部３３１は、受信されたUE MDT_Information Reportメッセージに含まれるＭＤＴ時間情報及び端末識別子を取得する。
【００４６】
ＭＤＴ使用端末決定部３３２は、情報取得部３３１によって取得されたＭＤＴ時間情報に基づいて、端末識別子によって示される、UE MDT_Information Reportメッセージの送信元の無線端末ＵＥをＭＤＴに使用するか否かを決定する。
【００４７】
ＭＤＴ使用端末決定部３３２は、ＭＤＴ時間情報が、ＭＤＴデータをネットワークに送信した時刻を示す情報（すなわち、情報１）である場合であって、ＭＤＴ時間情報によって示される時刻（ＭＤＴデータ送信時刻）と現時刻との間の時間差が所定時間未満である場合に、当該無線端末ＵＥをＭＤＴに使用しないと決定する。このように、ＭＤＴ使用端末決定部３３２は、前回のＭＤＴに使用された直後の無線端末ＵＥについては、今回のＭＤＴに使用しないように決定する。一方、ＭＤＴ使用端末決定部３３２は、ＭＤＴ時間情報によって示される時刻（すなわちＭＤＴデータ送信時刻）と現時刻との間の時間差が所定時間以上である場合に、当該無線端末ＵＥをＭＤＴに使用すると決定する。
【００４８】
ＭＤＴ使用端末決定部３３２は、ＭＤＴ時間情報が、ＭＤＴデータを保持した期間に関する情報（すなわち、情報２）である場合であって、ＭＤＴデータを保持した期間が所定時間以上である場合に、当該無線端末ＵＥをＭＤＴに使用しないと決定する。このように、ＭＤＴ使用端末決定部３３２は、前回のＭＤＴが長時間に亘った無線端末ＵＥについては、今回のＭＤＴに使用しないように決定する。一方、ＭＤＴ使用端末決定部３３２は、ＭＤＴデータを保持した期間が所定時間未満である場合に、当該無線端末ＵＥをＭＤＴに使用すると決定する。
【００４９】
さらに、ＭＤＴ使用端末決定部３３２は、ＭＤＴ時間情報が、測定期間を示す情報（すなわち、情報３）である場合であって、当該測定期間が所定時間以上である場合に、当該無線端末ＵＥをＭＤＴに使用しないと決定する。このように、ＭＤＴ使用端末決定部３３２は、前回のＭＤＴが長時間に亘った無線端末ＵＥについては、今回のＭＤＴに使用しないように決定する。一方、ＭＤＴ使用端末決定部３３２は、測定期間が所定時間未満である場合に、当該無線端末ＵＥをＭＤＴに使用すると決定する。
【００５０】
なお、ＭＤＴ使用端末決定部３３２は、ＭＤＴ使用可否の判定基準として情報１〜３を個別に利用する場合に限らず、情報１〜３を組み合わせて利用してもよい。例えば、ＭＤＴ使用端末決定部３３２は、情報１に基づく判定がＯＫ（ＭＤＴ使用可）であり、且つ、情報２に基づく判定又は情報３に基づく判定の何れか一方がＯＫである場合に、当該無線端末ＵＥをＭＤＴに使用すると決定してもよい。また、ＭＤＴ使用端末決定部３３２は、情報２に基づく判定又は情報３に基づく判定の少なくとも一方がＯＫであっても、情報１に基づく判定がＮＧ（ＭＤＴ使用不可）である場合には、当該無線端末ＵＥをＭＤＴに使用しないと決定してもよい。
【００５１】
ＭＤＴ制御部３３３は、ＭＤＴに使用すると決定した無線端末ＵＥの接続先の無線基地局ｅＮＢ（すなわちUE MDT_Information Reportメッセージを転送した無線基地局ｅＮＢ）に対し、測定パラメータを指定してMDT Configurationメッセージの送信要求を送信する。当該送信要求は、上記端末識別子を含む。また、ＭＤＴ制御部３３３は、無線基地局ｅＮＢを介して無線端末ＵＥからＭＤＴデータ（測定結果や位置情報）が報告されると、報告されたＭＤＴデータを蓄積する。蓄積されたＭＤＴデータは、例えばＥ−ＵＴＲＡＮの最適化に使用される。
【００５２】
（１．４）移動通信システムの動作
次に、（１．４．１）Logged MDTの具体例、（１．４．２）第１実施形態に係る端末選択方法について説明する。
【００５３】
（１．４．１）Logged MDTの具体例
図４は、Logged MDTの具体例を示すシーケンス図である。図４の初期状態では、無線端末ＵＥは、接続状態であり、無線基地局ｅＮＢとの無線通信を行っているものとする。
【００５４】
図４に示すように、ステップＳ１１において、保守監視装置ＯＡＭは、移動管理装置ＭＭＥの情報等を参照して、ＭＤＴに使用する無線端末ＵＥを選択し、選択した無線端末ＵＥに設定する測定パラメータを決定する。そして、保守監視装置ＯＡＭは、選択した無線端末ＵＥの情報、及び決定した測定パラメータの情報を無線基地局ｅＮＢに送信する（図４中のconfiguration指示Ｓ１１）。
【００５５】
ステップＳ１２において、無線基地局ｅＮＢは、保守監視装置ＯＡＭから受信した情報に応じて、測定パラメータを設定するためのMDT Configurationメッセージを生成し、生成したMDT Configurationメッセージを無線端末ＵＥに送信する。無線端末ＵＥは、MDT Configurationメッセージを受信すると、受信したMDT Configurationメッセージに含まれる測定パラメータを自端末に設定する。また、無線端末ＵＥは、測定パラメータの設定時に、測定期間のタイマ（duration timer）を起動する。
【００５６】
ステップＳ１３において、無線端末ＵＥは、接続状態からアイドル状態に移行する。
【００５７】
ステップＳ１４において、無線端末ＵＥは、設定した測定パラメータに従って無線環境の測定を行うとともに、当該測定の結果を含むＭＤＴデータを記録する。
【００５８】
ステップＳ１５において、無線端末ＵＥは、測定期間のタイマが満了すると、ロギング（測定及び記録）を終了する。
【００５９】
ステップＳ１６において、無線端末ＵＥは、無線基地局ｅＮＢとの接続処理を行う。なお、無線端末ＵＥの接続先となる無線基地局ｅＮＢは、MDT Configurationメッセージの送信元の無線基地局ｅＮＢとは異なるものである可能性が高い。
【００６０】
ステップＳ１７において、無線端末ＵＥは、アイドル状態から接続状態に移行する。
【００６１】
ステップＳ１８において、無線端末ＵＥは、アイドル状態から接続状態への移行が完了したことを示すRRCConnectionSetupCompleteメッセージを無線基地局ｅＮＢに送信する。その際、無線端末ＵＥは、ＭＤＴデータを保持していることを示す保持情報をRRCConnectionSetupCompleteメッセージに含めて送信する。
【００６２】
無線基地局ｅＮＢは、保持情報を含むRRCConnectionSetupCompleteメッセージを無線端末ＵＥから受信すると、ステップＳ１９において、無線端末ＵＥがＭＤＴデータを保持している旨の情報を保守監視装置ＯＡＭに送信する。保守監視装置ＯＡＭは、無線端末ＵＥが保持するＭＤＴデータを収集するか否かを判断する。
【００６３】
保守監視装置ＯＡＭが、無線端末ＵＥが保持するＭＤＴデータを収集すると決定した場合、ステップＳ２０において、保守監視装置ＯＡＭは、無線端末ＵＥが保持するＭＤＴデータを収集することを指示する旨の情報を無線基地局ｅＮＢに送信する。
【００６４】
無線基地局ｅＮＢは、無線端末ＵＥが保持するＭＤＴデータを収集することを指示する旨の情報を保守監視装置ＯＡＭから受信すると、ステップＳ２１において、UEInformationRequestメッセージを生成し、生成したUEInformationRequestメッセージを無線端末ＵＥに送信する。
【００６５】
無線端末ＵＥは、UEInformationRequestメッセージを無線基地局ｅＮＢから受信すると、ステップＳ２２において、保持しているＭＤＴデータを取得し、取得したＭＤＴデータを含むUEInformationResponseメッセージを生成し、生成したUEInformationResponseメッセージを無線基地局ｅＮＢに送信する。このようにしてＭＤＴデータがネットワークに報告されると、無線端末ＵＥは、保持しているＭＤＴデータを削除する。
【００６６】
無線基地局ｅＮＢは、UEInformationResponseメッセージを無線端末ＵＥから受信すると、ステップＳ２３において、受信したUEInformationResponseメッセージに含まれるＭＤＴデータを取得し、取得したＭＤＴデータを保守監視装置ＯＡＭに送信する。
【００６７】
（１．４．２）第１実施形態に係る端末選択方法
図５は、第１実施形態に係る端末選択方法を示すシーケンス図である。
【００６８】
図５に示すように、ステップＳ１０１において、保守監視装置ＯＡＭは、ＭＤＴを開始することが決定されると、ＭＤＴ時間情報の送信を要求するUE MDT_Information Requestメッセージを、Ｅ−ＵＴＲＡＮを構成する少なくとも１つの無線基地局ｅＮＢに送信する。無線基地局ｅＮＢは、UE MDT_Information Requestメッセージを受信する。
【００６９】
ステップＳ１０２において、無線基地局ｅＮＢは、ＭＤＴ時間情報の送信を要求するUE MDT_Information Requestメッセージを、自局に接続中の無線端末ＵＥに送信する。無線端末ＵＥは、UE MDT_Information Requestメッセージを受信する。
【００７０】
ステップＳ１０３において、無線端末ＵＥは、ＭＤＴ時間情報と、自端末を識別する端末識別子とを含むUE MDT_Information Reportメッセージを無線基地局ｅＮＢに送信する。ここで、ＭＤＴ時間情報は、情報１（ＭＤＴデータをネットワークに送信した時刻を示す情報）、情報２（ＭＤＴデータを保持した期間に関する情報）、情報３（測定期間を示す情報）のうちの少なくとも１つである。無線基地局ｅＮＢは、UE MDT_Information Reportメッセージを受信する。
【００７１】
ステップＳ１０４において、無線基地局ｅＮＢは、無線端末ＵＥから受信したUE MDT_Information Reportメッセージを保守監視装置ＯＡＭに転送する。保守監視装置ＯＡＭは、UE MDT_Information Reportメッセージを受信する。
【００７２】
ステップＳ１０５において、保守監視装置ＯＡＭは、受信したUE MDT_Information Reportメッセージに含まれるＭＤＴ時間情報及び端末識別子を取得し、取得したＭＤＴ時間情報に基づいて、端末識別子によって示される、UE MDT_Information Reportメッセージの送信元の無線端末ＵＥをＭＤＴに使用するか否かを決定する。
【００７３】
ここで、保守監視装置ＯＡＭは、ＭＤＴ時間情報が、ＭＤＴデータをネットワークに送信した時刻を示す情報（すなわち、情報１）である場合であって、ＭＤＴ時間情報によって示される時刻（ＭＤＴデータ送信時刻）と現時刻との間の時間差が所定時間未満である場合に、当該無線端末ＵＥをＭＤＴに使用しないと決定する。このように、保守監視装置ＯＡＭは、前回のＭＤＴに使用された直後の無線端末ＵＥについては、今回のＭＤＴに使用しないように決定する。
【００７４】
保守監視装置ＯＡＭは、ＭＤＴ時間情報が、ＭＤＴデータを保持した期間に関する情報（すなわち、情報２）である場合であって、ＭＤＴデータを保持した期間が所定時間以上である場合に、当該無線端末ＵＥをＭＤＴに使用しないと決定する。このように、保守監視装置ＯＡＭは、前回のＭＤＴが長時間に亘った無線端末ＵＥについては、今回のＭＤＴに使用しないように決定する。
【００７５】
さらに、保守監視装置ＯＡＭは、ＭＤＴ時間情報が、測定期間を示す情報（すなわち、情報３）である場合であって、当該測定期間が所定時間以上である場合に、当該無線端末ＵＥをＭＤＴに使用しないと決定する。このように、保守監視装置ＯＡＭは、前回のＭＤＴが長時間に亘った無線端末ＵＥについては、今回のＭＤＴに使用しないように決定する。
【００７６】
なお、保守監視装置ＯＡＭは、上述したように、ＭＤＴ使用可否の判定基準として情報１〜３を個別に利用する場合に限らず、情報１〜３を組み合わせて利用してもよい。
【００７７】
当該無線端末ＵＥをＭＤＴに使用すると決定した場合、ステップＳ１０６において、保守監視装置ＯＡＭは、UE MDT_Information Reportメッセージを転送した無線基地局ｅＮＢに対し、MDT Configurationメッセージの送信指示（図５中のconfiguration指示Ｓ１０６）を送信する。当該送信指示は、上記端末識別子と測定パラメータとを含む。無線基地局ｅＮＢは、MDT Configurationメッセージの送信指示を受信する。
【００７８】
ステップＳ１０７において、無線基地局ｅＮＢは、受信した送信指示に従ってMDT Configurationメッセージを無線端末ＵＥに送信する。無線端末ＵＥは、MDT Configurationメッセージを受信すると、MDT Configurationメッセージに含まれる測定パラメータを自端末に設定し、ＭＤＴ処理を開始する。
【００７９】
（１．５）第１実施形態の効果
以上説明したように、第１実施形態によれば、保守監視装置ＯＡＭは、無線端末ＵＥがＭＤＴ処理を行った時刻又は期間に関するＭＤＴ時間情報に基づいて無線端末ＵＥをＭＤＴに使用するか否かを決定する。これにより、前回のＭＤＴに使用された直後の無線端末ＵＥや、長時間に亘るＭＤＴを行った無線端末ＵＥについては、今回のＭＤＴに使用しないように決定することができる。従って、ＭＤＴの負荷が特定の無線端末ＵＥに集中する可能性を低減できる。
【００８０】
（１．６）第１実施形態の変更例１
上述した第１実施形態では、保守監視装置ＯＡＭ及び無線基地局ｅＮＢは、ＭＤＴ時間情報の送信を要求するUE MDT_Information Requestメッセージを無線端末ＵＥに送信し、無線端末ＵＥは、UE MDT_Information Requestメッセージの受信に応答してUE MDT_Information Reportメッセージを無線基地局ｅＮＢに送信していた。しかしながら、MDT Configurationメッセージの送信に先立つネゴシエーションの過程で、UE MDT_Information Reportメッセージを無線端末ＵＥが無線基地局ｅＮＢに送信してもよい。
【００８１】
図６は、本変更例に係る端末選択方法を示すシーケンス図である。
【００８２】
図６に示すように、ステップＳ２０１において、保守監視装置ＯＡＭは、無線端末ＵＥに測定パラメータを設定すると決定すると、無線端末ＵＥとのネゴシエーションを行うためのMDT Configuration Negotiationメッセージ（所定のメッセージ）を無線基地局ｅＮＢに送信する。無線基地局ｅＮＢは、MDT Configuration Negotiationメッセージを受信する。
【００８３】
ステップＳ２０２において、無線基地局ｅＮＢは、MDT Configuration Negotiationメッセージを無線端末ＵＥに送信する。無線端末ＵＥは、MDT Configuration Negotiationメッセージを受信する。
【００８４】
ステップＳ２０３において、無線端末ＵＥは、ＭＤＴ時間情報と、自端末を識別する端末識別子とを含むUE MDT_Information Reportメッセージを無線基地局ｅＮＢに送信する。無線基地局ｅＮＢは、UE MDT_Information Reportメッセージを受信する。以降の処理は、第１実施形態と同様である。
【００８５】
（１．７）第１実施形態の変更例２
上述した第１実施形態では、ネットワークが１つの無線端末ＵＥからUE MDT_Information Reportメッセージを受信するケースを説明したが、複数の無線端末ＵＥから一斉にUE MDT_Information Reportメッセージを受信してもよい。
【００８６】
図７は、本変更例に係る端末選択方法を示すシーケンス図である。
【００８７】
図７に示すように、ステップＳ３０１において、保守監視装置ＯＡＭは、ＭＤＴの開始が決定されると、ＭＤＴ時間情報の送信を要求するUE MDT_Information Requestメッセージを、Ｅ−ＵＴＲＡＮを構成する複数の無線基地局ｅＮＢに送信する。複数の無線基地局ｅＮＢのそれぞれは、UE MDT_Information Requestメッセージを受信する。
【００８８】
ステップＳ３０２において、複数の無線基地局ｅＮＢのそれぞれは、ＭＤＴ時間情報の送信を要求するUE MDT_Information Requestメッセージを、自局に接続する無線端末ＵＥに送信する。複数の無線端末ＵＥのそれぞれは、UE MDT_Information Requestメッセージを受信する。
【００８９】
ステップＳ３０３において、複数の無線端末ＵＥのそれぞれは、自端末が管理するＭＤＴ時間情報と、自端末を識別する端末識別子とを含むUE MDT_Information Reportメッセージを無線基地局ｅＮＢに送信する。複数の無線基地局ｅＮＢのそれぞれは、UE MDT_Information Reportメッセージを受信する。
【００９０】
ステップＳ３０４において、複数の無線基地局ｅＮＢのそれぞれは、無線端末ＵＥから受信したUE MDT_Information Reportメッセージを保守監視装置ＯＡＭに転送する。保守監視装置ＯＡＭは、UE MDT_Information Reportメッセージを受信する。
【００９１】
ステップＳ３０５において、保守監視装置ＯＡＭは、受信したUE MDT_Information Reportメッセージのそれぞれに含まれるＭＤＴ時間情報及び端末識別子を取得し、取得したＭＤＴ時間情報に基づいて、端末識別子によって示される、UE MDT_Information Reportメッセージの送信元の無線端末ＵＥをＭＤＴに使用するか否かを決定する。ここでは、第１実施形態で説明した方法以外にも、複数の無線端末ＵＥの相対比較によって、ＭＤＴに使用する無線端末ＵＥを決定してもよい。
【００９２】
ステップＳ３０６において、保守監視装置ＯＡＭは、ＭＤＴに使用する無線端末ＵＥに対応するUE MDT_Information Reportメッセージを転送した無線基地局ｅＮＢに対し、MDT Configurationメッセージの送信指示（図７中のconfiguration指示Ｓ３０６）を送信する。当該送信指示は、ＭＤＴに使用する無線端末ＵＥの端末識別子と、測定パラメータとを含む。無線基地局ｅＮＢは、MDT Configurationメッセージの送信指示を受信する。
【００９３】
ステップＳ３０７において、無線基地局ｅＮＢは、受信した送信指示に従ってMDT Configurationメッセージを無線端末ＵＥに送信する。無線端末ＵＥは、MDT Configurationメッセージを受信すると、MDT Configurationメッセージに含まれる測定パラメータを自端末に設定し、ＭＤＴ処理を開始する。
【００９４】
（２）第２実施形態
上述した第１実施形態では、ＭＤＴに使用する無線端末ＵＥを保守監視装置ＯＡＭが選択していたが、第２実施形態では、ＭＤＴに使用する無線端末ＵＥを無線基地局ｅＮＢが選択する。すなわち、第２実施形態に係る端末選択方法は、無線端末ＵＥが、ＭＤＴに従った処理であるＭＤＴ処理を行うステップと、無線端末ＵＥがＭＤＴ処理を行った時刻又は期間に関するＭＤＴ時間情報を、無線端末ＵＥからネットワークに送信するステップと、無線基地局ｅＮＢが、無線端末ＵＥからのＭＤＴ時間情報に基づいて、当該無線端末ＵＥをＭＤＴに使用するか否かを決定するステップとを備える。
【００９５】
以下、第２実施形態について、（２．１）無線基地局の構成、（２．２）第２実施形態に係る端末選択方法、（２．３）第２実施形態の効果、（２．４）第２実施形態の変更例１、（２．５）第２実施形態の変更例２、（２．６）第２実施形態の変更例３の順に説明する。なお、第１実施形態との相違点を主として説明し、重複する説明を省略する。
【００９６】
（２．１）無線基地局の構成
図８は、第２実施形態に係る無線基地局ｅＮＢの構成を示すブロック図である。
【００９７】
図８に示すように、無線基地局ｅＮＢは、アンテナ１０１、無線通信部１１０、ネットワーク通信部１２０、記憶部１３０、及び制御部１４０を有する。
【００９８】
アンテナ１０１は、無線信号の送受信に用いられる。無線通信部１１０は、例えば無線周波数（ＲＦ）回路やベースバンド（ＢＢ）回路等を用いて構成され、アンテナ１０１を介して無線信号を送受信する。また、無線通信部１１０は、送信信号の変調と受信信号の復調とを行う。ネットワーク通信部１２０は、他のネットワーク装置（保守監視装置ＯＡＭや他の無線基地局ｅＮＢ等）との通信を行う。記憶部１３０は、例えばメモリを用いて構成され、無線基地局ｅＮＢの制御等に用いられる各種の情報を記憶する。制御部１４０は、例えばＣＰＵを用いて構成され、無線基地局ｅＮＢが備える各種の機能を制御する。
【００９９】
制御部１４０は、情報取得部１４１、ＭＤＴ使用端末決定部１４２、及びＭＤＴ制御部１４３を有する。
【０１００】
情報取得部１４１は、ＭＤＴの開始が決定されると、ＭＤＴ時間情報の送信を要求するUE MDT_Information Requestメッセージを、自局に接続する無線端末ＵＥに送信するよう制御する。UE MDT_Information Requestメッセージの送信後、無線通信部１１０がUE MDT_Information Reportメッセージを受信すると、情報取得部１４１は、受信されたUE MDT_Information Reportメッセージに含まれるＭＤＴ時間情報及び端末識別子を取得する。
【０１０１】
ＭＤＴ使用端末決定部１４２は、情報取得部１４１によって取得されたＭＤＴ時間情報に基づいて、端末識別子によって示される無線端末ＵＥをＭＤＴに使用するか否かを決定する。
【０１０２】
ＭＤＴ使用端末決定部１４２は、ＭＤＴ時間情報が、ＭＤＴデータをネットワークに送信した時刻を示す情報（すなわち、情報１）である場合であって、ＭＤＴ時間情報によって示される時刻（ＭＤＴデータ送信時刻）と現時刻との間の時間差が所定時間未満である場合に、当該無線端末ＵＥをＭＤＴに使用しないと決定する。このように、ＭＤＴ使用端末決定部１４２は、前回のＭＤＴに使用された直後の無線端末ＵＥについては、今回のＭＤＴに使用しないように決定する。一方、ＭＤＴ使用端末決定部１４２は、ＭＤＴ時間情報によって示される時刻（すなわちＭＤＴデータ送信時刻）と現時刻との間の時間差が所定時間以上である場合に、当該無線端末ＵＥをＭＤＴに使用すると決定する。
【０１０３】
ＭＤＴ使用端末決定部１４２は、ＭＤＴ時間情報が、ＭＤＴデータを保持した期間に関する情報（すなわち、情報２）である場合であって、ＭＤＴデータを保持した期間が所定時間以上である場合に、当該無線端末ＵＥをＭＤＴに使用しないと決定する。このように、ＭＤＴ使用端末決定部１４２は、前回のＭＤＴが長時間に亘った無線端末ＵＥについては、今回のＭＤＴに使用しないように決定する。一方、ＭＤＴ使用端末決定部１４２は、ＭＤＴデータを保持した期間が所定時間未満である場合に、当該無線端末ＵＥをＭＤＴに使用すると決定する。
【０１０４】
さらに、ＭＤＴ使用端末決定部１４２は、ＭＤＴ時間情報が、測定期間を示す情報（すなわち、情報３）である場合であって、当該測定期間が所定時間以上である場合に、当該無線端末ＵＥをＭＤＴに使用しないと決定する。このように、ＭＤＴ使用端末決定部１４２は、前回のＭＤＴが長時間に亘った無線端末ＵＥについては、今回のＭＤＴに使用しないように決定する。一方、ＭＤＴ使用端末決定部１４２は、測定期間が所定時間未満である場合に、当該無線端末ＵＥをＭＤＴに使用すると決定する。
【０１０５】
なお、ＭＤＴ使用端末決定部１４２は、ＭＤＴ使用可否の判定基準として情報１〜３を個別に利用する場合に限らず、情報１〜３を組み合わせて利用してもよい。例えば、ＭＤＴ使用端末決定部１４２は、情報１に基づく判定がＯＫ（ＭＤＴ使用可）であり、且つ、情報２に基づく判定又は情報３に基づく判定の何れか一方がＯＫである場合に、当該無線端末ＵＥをＭＤＴに使用すると決定してもよい。また、ＭＤＴ使用端末決定部１４２は、情報２に基づく判定又は情報３に基づく判定の少なくとも一方がＯＫであっても、情報１に基づく判定がＮＧ（ＭＤＴ使用不可）である場合には、当該無線端末ＵＥをＭＤＴに使用しないと決定してもよい。
【０１０６】
ＭＤＴ制御部１４３は、ＭＤＴに使用すると決定した無線端末ＵＥに対し、測定パラメータを指定してMDT Configurationメッセージを送信するよう制御する。ＭＤＴ制御部１４３は、無線端末ＵＥからのＭＤＴデータ（測定結果や位置情報）が報告されると、報告されたＭＤＴデータを蓄積する。蓄積されたＭＤＴデータは、例えばＥ−ＵＴＲＡＮの最適化に使用される。
【０１０７】
（２．２）第２実施形態に係る端末選択方法
図９は、第２実施形態に係る端末選択方法を示すシーケンス図である。
【０１０８】
ステップＳ４０１において、無線基地局ｅＮＢは、ＭＤＴの開始が決定されると、ＭＤＴ時間情報の送信を要求するUE MDT_Information Requestメッセージを自局に接続中の無線端末ＵＥに送信する。無線端末ＵＥは、UE MDT_Information Requestメッセージを受信する。
【０１０９】
ステップＳ４０２において、無線端末ＵＥは、ＭＤＴ時間情報と、自端末を識別する端末識別子とを含むUE MDT_Information Reportメッセージを無線基地局ｅＮＢに送信する。無線基地局ｅＮＢは、UE MDT_Information Reportメッセージを受信する。
【０１１０】
ステップＳ４０３において、無線基地局ｅＮＢは、受信したUE MDT_Information Reportメッセージに含まれるＭＤＴ時間情報及び端末識別子を取得し、取得したＭＤＴ時間情報に基づいて、端末識別子によって示される無線端末ＵＥをＭＤＴに使用するか否かを決定する。
【０１１１】
当該無線端末ＵＥをＭＤＴに使用すると決定した場合、ステップＳ４０４において、無線基地局ｅＮＢは、MDT Configurationメッセージを無線端末ＵＥに送信する。無線端末ＵＥは、MDT Configurationメッセージを受信すると、MDT Configurationメッセージに含まれる測定パラメータを自端末に設定し、ＭＤＴ処理を開始する。
【０１１２】
（２．３）第２実施形態の効果
以上説明したように、第２実施形態によれば、無線基地局ｅＮＢは、無線端末ＵＥがＭＤＴ処理を行った時刻又は期間に関するＭＤＴ時間情報に基づいて無線端末ＵＥをＭＤＴに使用するか否かを決定する。これにより、ＭＤＴに使用された直後の無線端末ＵＥや、長時間に亘るＭＤＴを行った無線端末ＵＥについては、ＭＤＴに使用しないように決定することができる。従って、ＭＤＴの負荷が特定の無線端末ＵＥに集中する可能性を低減できる。
【０１１３】
（２．４）第２実施形態の変更例１
上述した第２実施形態では、無線基地局ｅＮＢは、ＭＤＴ時間情報の送信を要求するUE MDT_Information Requestメッセージを無線端末ＵＥに送信し、無線端末ＵＥは、UE MDT_Information Requestメッセージの受信に応答してUE MDT_Information Reportメッセージを無線基地局ｅＮＢに送信していた。しかしながら、MDT Configurationメッセージの送信に先立つネゴシエーションの過程で、UE MDT_Information Reportメッセージを無線端末ＵＥが無線基地局ｅＮＢに送信してもよい。
【０１１４】
図１０は、本変更例に係る端末選択方法を示すシーケンス図である。
【０１１５】
図１０に示すように、ステップＳ５０１において、無線基地局ｅＮＢは、無線端末ＵＥに測定パラメータを設定すると決定すると、無線端末ＵＥとのネゴシエーションを行うためのMDT Configuration Negotiationメッセージを無線端末ＵＥに送信する。無線端末ＵＥは、MDT Configuration Negotiationメッセージを受信する。
【０１１６】
ステップＳ５０２において、無線端末ＵＥは、ＭＤＴ時間情報と、自端末を識別する端末識別子とを含むUE MDT_Information Reportメッセージを無線基地局ｅＮＢに送信する。無線基地局ｅＮＢは、UE MDT_Information Reportメッセージを受信する。以降の処理は、第２実施形態と同様である。
【０１１７】
（２．５）第２実施形態の変更例２
上述した第２実施形態では、無線基地局ｅＮＢが１つの無線端末ＵＥからUE MDT_Information Reportメッセージを受信するケースを説明したが、複数の無線端末ＵＥから一斉にUE MDT_Information Reportメッセージを受信してもよい。
【０１１８】
図１１は、本変更例に係る端末選択方法を示すシーケンス図である。
【０１１９】
図１１に示すように、ステップＳ６０１において、無線基地局ｅＮＢは、ＭＤＴの開始が決定されると、ＭＤＴ時間情報の送信を要求するUE MDT_Information Requestメッセージを自局に接続する複数の無線端末ＵＥに送信する。複数の無線端末ＵＥのそれぞれは、UE MDT_Information Requestメッセージを受信する。
【０１２０】
ステップＳ６０２において、複数の無線端末ＵＥのそれぞれは、自端末で管理しているＭＤＴ時間情報と、自端末を識別する端末識別子とを含むUE MDT_Information Reportメッセージを無線基地局ｅＮＢに送信する。無線基地局ｅＮＢは、UE MDT_Information Reportメッセージを受信する。
【０１２１】
ステップＳ６０３において、無線基地局ｅＮＢは、受信したUE MDT_Information Reportメッセージのそれぞれに含まれるＭＤＴ時間情報及び端末識別子を取得し、取得したＭＤＴ時間情報に基づいて、端末識別子によって示される無線端末ＵＥをＭＤＴに使用するか否かを決定する。ここでは、第２実施形態で説明した方法以外にも、複数の無線端末ＵＥの相対比較によって、ＭＤＴに使用する無線端末ＵＥを決定してもよい。
【０１２２】
ステップＳ６０４において、無線基地局ｅＮＢは、ＭＤＴに使用する無線端末ＵＥに対し、MDT Configurationメッセージを送信する。無線端末ＵＥは、MDT Configurationメッセージを受信すると、MDT Configurationメッセージに含まれる測定パラメータを自端末に設定し、ＭＤＴ処理を開始する。
【０１２３】
（２．６）第２実施形態の変更例３
上述した第２実施形態においては、無線基地局ｅＮＢは、ＭＤＴ時間情報を無線端末ＵＥから取得していたが、保守監視装置ＯＡＭがＭＤＴ時間情報を管理している場合には保守監視装置ＯＡＭから取得してもよい。
【０１２４】
図１２は、本変更例に係る端末選択方法を示すシーケンス図である。
【０１２５】
図１２に示すように、ステップＳ７０１において、無線基地局ｅＮＢは、ＭＤＴの開始が決定されると、ＭＤＴ時間情報の送信要求を保守監視装置ＯＡＭに送信する。当該送信要求は、無線基地局ｅＮＢに接続する無線端末ＵＥの端末識別子を含む。
【０１２６】
保守監視装置ＯＡＭは、ＭＤＴ時間情報を端末識別子と対応付けて管理している。保守監視装置ＯＡＭは、ＭＤＴ時間情報の送信要求を無線基地局ｅＮＢから受信すると、ステップＳ７０２において、当該送信要求に含まれる端末識別子に対応するＭＤＴ時間情報と端末識別子とを含む応答メッセージを無線基地局ｅＮＢに送信する。
【０１２７】
ステップＳ７０３において、無線基地局ｅＮＢは、受信した応答メッセージに含まれるＭＤＴ時間情報及び端末識別子を取得し、端末識別子によって示される無線端末ＵＥをＭＤＴに使用するか否かを決定する。
【０１２８】
当該無線端末ＵＥをＭＤＴに使用すると決定した場合、ステップＳ７０４において、無線基地局ｅＮＢは、MDT Configurationメッセージを当該無線端末ＵＥに送信する。無線端末ＵＥは、MDT Configurationメッセージを受信すると、MDT Configurationメッセージに含まれる測定パラメータを自端末に設定し、ＭＤＴ処理を開始する。
【０１２９】
（３）その他の実施形態
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【０１３０】
上述した各実施形態及び各変更例では、ＭＤＴ時間情報の一例が、無線端末ＵＥがＭＤＴデータをネットワークに送信した時刻を示す情報であると説明した。しかしながら、無線端末ＵＥがＭＤＴデータをネットワークに送信した時刻を示す情報に代えて、無線端末ＵＥがＭＤＴデータの送信をネットワークから要求された時刻を示す情報をＭＤＴ時間情報として使用してもよい。
【０１３１】
また、上述した各実施形態及び各変更例は、別個独立に実施してもよく、相互に組み合わせて実施してもよい。また、上述した各実施形態及び各変更例では、ＭＤＴ専用のメッセージ（UE MDT_Information Requestメッセージ、UE MDT_Information Reportメッセージ）を用いる例を説明したが、これらのメッセージが他のメッセージに組み込まれていてもよい。
【０１３２】
さらに、上述した各実施形態及び各変更例では、Logged MDTを主として説明したが、即座報告型のＭＤＴ（Immediate MDTと称される）に本発明を適用してもよい。Immediate MDTは、コネクテッド状態（すなわち通信実行中）の無線端末が、無線環境の測定を行い、測定結果及び位置情報をネットワークに報告するものである。
【０１３３】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１３４】
ＭＭＥ…移動管理装置、ＯＡＭ…保守監視装置、Ｓ−ＧＷ…／ゲートウェイ装置、ＵＥ…無線端末、ｅＮＢ…無線基地局、１…移動通信システム、１０１…アンテナ、１１０…無線通信部、１２０…ネットワーク通信部、１３０…記憶部、１４０…制御部、１４１…情報取得部、１４２…ＭＤＴ使用端末決定部、１４３…ＭＤＴ制御部、２０１…アンテナ、２１０…無線通信部、２２０…ユーザインターフェイス部、２３０…ＧＰＳ受信機、２４０…バッテリ、２５０…記憶部、２６０…制御部、２６１…ＭＤＴ処理部、２６２…ＭＤＴ情報管理部、３１０…ネットワーク通信部、３２０…記憶部、３３０…制御部、３３１…情報取得部、３３２…ＭＤＴ使用端末決定部、３３３…ＭＤＴ制御部
【図１】
0005635864.tif 000002
【図２】
0005635864.tif 000003
【図３】
0005635864.tif 000004
【図４】
0005635864.tif 000005
【図５】
0005635864.tif 000006
【図６】
0005635864.tif 000007
【図７】
0005635864.tif 000008
【図８】
0005635864.tif 000009
【図９】
0005635864.tif 000010
【図１０】
0005635864.tif 000011
【図１１】
0005635864.tif 000012
【図１２】
0005635864.tif 000013